(57)【要約】      （修正有）【課題】温かくて皮膚に優しい、さらに消毒殺菌可能なウエットタオルを供給する、消毒殺菌用加温ウエットタオル供給装置を提供する。【解決手段】消毒殺菌用加温ウエットタオル供給装置１は、容器２を備える。容器２内に並べて、有機酸亜鉛を５，０００ｐｐｍ〜１０，０００ｐｐｍの濃度で含む薬剤を含浸させてなるウエットタオル３が置かれている。容器２内に、ウエットタオル３を温める加熱手段である発熱体４が設けられている。ウエットタオル３とともに、有機酸亜鉛を５，０００ｐｐｍ〜１０，０００ｐｐｍの濃度で含む薬剤が充填されたスプレーボトル５が配置されている。【選択図】図１
0003159228.tif 000002
【実用新案登録請求の範囲】
【請求項１】
皮膚に優しい加温された消毒殺菌用のウエットタオルを供給する装置であって、
容器と、
前記容器内に置かれ、有機酸金属を５，０００ｐｐｍ〜１０，０００ｐｐｍの濃度で含む薬剤を含浸させてなるウエットタオルと、
前記容器内に設けられ、前記ウエットタオルを温める加熱手段とを備えた、消毒殺菌用加温ウエットタオル供給装置。
【請求項２】
前記薬剤は、直径５０ｎｍ〜７０ｎｍの酸化金属ナノ粒子を有機酸水溶液に分散させてなる請求項１に記載の、消毒殺菌用加温ウエットタオル供給装置。
【請求項３】
前記有機酸は、水に溶かせると一部ラクトン化する有機酸を含む請求項１又は２に記載の、消毒殺菌用加温ウエットタオル供給装置。
【請求項４】
前記有機酸金属はグルコン酸亜鉛を含む請求項１に記載の、消毒殺菌用加温ウエットタオル供給装置。
【請求項５】
前記有機酸金属はクエン酸白金を含む請求項１に記載の、消毒殺菌用加温ウエットタオル供給装置。
【請求項６】
前記容器内に置かれ、熱を蓄える蓄熱材をさらに備える、請求項１に記載の、消毒殺菌用加温ウエットタオル供給装置。
【請求項７】
前記容器内を摂氏４０度前後に保温してなる請求項１に記載の、消毒殺菌用加温ウエットタオル供給装置。
【請求項８】
前記容器内に、前記ウエットタオルとともに置かれた、有機酸金属を５，０００ｐｐｍ〜１０，０００ｐｐｍの濃度で含む薬剤が充填されたスプレーボトルをさらに備える、消毒殺菌用加温ウエットタオル供給装置。
【考案の詳細な説明】
【技術分野】
【０００１】
本考案は一般に消毒殺菌用ウエットタオル供給装置に関するものであり、より特定的には、皮膚に優しい加温された消毒殺菌用のウエットタオルを供給することのできる、消毒殺菌用加温ウエットタオル供給装置に関する。
【背景技術】
【０００２】
おむつを装着した介護サービス対象者が多くなり、おむつ交換の際に糞尿で汚れた股間を清拭するタオル（不織布を含む）の利用頻度も多くなっている。中でも使いやすさと感染防止のために、アルコール液を含ませたウエットタオルが多く出回っている。アルコール液は消毒殺菌力があり、清潔を保つ上でとても便利である。ところがアルコールの強力な脱脂力により、股間の皮膚が炎症を起こして、利用者に苦痛を与えているが、利用者は我慢をしてこの痛みに耐えているのが現状である。またアルコールは、揮発性の溶剤であるので、蒸発を防ぐため、保管中はできるかぎり低温を保つようにしているので、利用者の股間には直接冷たいタオルが接触し、あまりの冷たさに、身も心も縮む思いで、おむつ交換を受けている。その上、アルコールの急速な蒸発による気化熱で冷やされる異常な冷たさを受け入れなければならない。介護者は手荒れと感染を防ぐためゴム手袋をつけているので、炎症や冷たさを免れているが、見るに忍びないおむつ交換が毎日繰り返し行われている。
【０００３】
考案者らは、この考案に関連して、有機酸亜鉛を５，０００ｐｐｍ〜１０，０００ｐｐｍの濃度で含む薬剤が、鳥インフルエンザ菌を不活性化する能力があることを見出し、鳥インフルエンザ菌不活性化薬剤として利用することを提案した（特許文献１）。
【先行技術文献】
【特許文献】
【０００４】
【特許文献１】特願２００８−３２４２０１号
【考案の概要】
【考案が解決しようとする課題】
【０００５】
考案者らは、上記有機酸亜鉛を５，０００ｐｐｍ〜１０，０００ｐｐｍの濃度で含む薬剤についてさらに鋭意研究を続けていたところ、この薬剤がアルコールに替わる消毒殺菌及び消臭の働きをすることを見出し、本考案を完成した。
【０００６】
本考案は、冷たさを感じない温かい消毒殺菌用のウエットタオルを供給することのできる消毒殺菌用加温ウエットタオル供給装置を提供することを目的とする。
【０００７】
本考案の他の目的は、皮膚に炎症を起こさない消毒殺菌用のウエットタオルを供給することのできる消毒殺菌用加温ウエットタオル供給装置を提供することにある。
【０００８】
本考案の他の目的は、揮発性の溶剤を使わない消毒殺菌用のウエットタオルを供給することのできる消毒殺菌用加温ウエットタオル供給装置を提供することにある。
【０００９】
本考案の他の目的は、糞尿で汚れた部分の消臭を行い、スムーズにおむつ交換を行うことが出来るように改良された消毒殺菌用加温ウエットタオル供給装置を提供することにある。
【課題を解決するための手段】
【００１０】
本考案に係る消毒殺菌用加温ウエットタオル供給装置は、皮膚に優しい加温された消毒殺菌用のウエットタオルを供給する装置であって、容器と、上記容器内に置かれた、有機酸金属を５，０００ｐｐｍ〜１０，０００ｐｐｍの濃度で含む薬剤を含浸させてなるウエットタオルと、上記容器内に設けられた、上記ウエットタオルを温める加熱手段とを備える。ウエットタオルの材質は、布又はパルプレーヨン紙製の吸湿性タオルであり、不織布を含む。
【００１１】
上記薬剤は、直径５０ｎｍ〜７０ｎｍの酸化金属ナノ粒子を有機酸水溶液に分散させてなる。金属粒子としては亜鉛ナノ粒子又は白金ナノ粒子が好ましい。
【００１２】
有機酸は、グルコン酸、酢酸、クエン酸、酒石酸、りんご酸、乳酸等であり、中でも水に溶かせると一部ラクトン化するグルコン酸が好ましい。
【００１３】
１，３ジメチル−２−イミダゾリジンを添加することにより、有機酸亜鉛の水への溶解度を増加させることができる。１，３ジメチル−２−イミダゾリジンは毒性を有しない。
【００１４】
上記酸化亜鉛ナノ粒子は、直径５０ｎｍ〜７０ｎｍ（１ナノは１０億分の１）の酸化亜鉛ナノ粒子を含むのが好ましい。白金ナノコロイド溶液を用いても良い。超微粒子の酸化亜鉛は有機酸に良く分散することも利点である。金属イオンには、Ｈｇ＞Ａｇ＞Ｃｕ＞Ｚｎ＞Ｆｅ＞ＴｉＯ2の順で殺菌力があるといわれ、一般に銀系抗菌剤が用いられているが、酸化亜鉛を超微粒子にすることにより、銀に劣らない消毒性、殺菌性を示すようになった。超微粒子の酸化亜鉛の殺菌メカニズムは銀イオンと同じと考えられ、金属の毒性、殺菌性によるものでなく、空気中あるいは水中の酸素の一部を活性酸素化し、菌の細胞膜を破壊すると考えられる。ナノ粒子を使うことにより、比表面積が大きくなり、菌の表面での接触が拡大されて、菌の増殖が抑制されると考えられる。金属イオン粉は溶出が少なく、抑制効果維持性が高く安全であり、直接接触する菌に対しては、銀と同等の抗菌性を示す。なお、菌の径は７５ｎｍである。菌の径に近い径を有する超微粒子の酸化亜鉛を選んで、有機酸水溶液に分散させることにより、菌を不活性化させることができることが見出された。
【００１５】
当該薬剤をウエットタオル（不織布を含む）に含浸させる場合、固形物に換算して、上記酸化亜鉛ナノ粒子の付着量は、５ｇ/ｍ2〜１５ｇ/ｍ2であるのが好ましい。
【００１６】
上記有機酸として、水に溶かせると一部ラクトン化する有機酸が好ましい。特に、グルコン酸を用いるのが好ましい。この場合、より好ましくは、グルコン酸亜鉛を約７５００ｐｐｍ含むように濃度を調整する。
【００１７】
グルコン酸を水に溶かすと、次の［化１］に示すように、一部はグルコノラクトンになる。これを平衡という。グルコノラクトンとグルコン酸の割合は、温度、濃度、ｐＨなどによって変わる。酸性にすると水中の酸が多くなるので、グルコノラクトンの割合が多くなる。アルカリ性にするとグルコン酸は塩になって安定化するので、グルコノラクトンの割合は少なくなる。平衡とは２つの水槽をチューブで連結したようなもので、左側の水槽に水を入れると、バランスを保つために水はチューブを通って右側に流れる。
【化１】
0003159228.tif 000003
【００１８】
酸化亜鉛ナノ粒子とグルコン酸を併用することによる相乗効果が生じることの説明について、タンパク質である鳥インフルエンザ菌にグルコン酸が触れた場合を考える。［化２］に示すように、タンパク質には酸性のアミノ酸と塩基性のアミノ酸が含まれている。酸性のアミノ酸は、-COOHなどを持っており、マイナスイオンに(COO-)になる。塩基性のアミノ酸は、-NH2を持っていて、プラスイオン(-NH3+)になる。タンパク質中のプラスイオンが多かったり、マイナスイオンが多かったりするとタンパク質は水に溶けるが、マイナスとプラスのイオンが同じだけ（等電点という）だと、ちょうど中性になり電荷を持たないので水に溶けなくなる。菌を等電点にすると、菌は溶けなくなり、固まり死滅する。
【化２】
0003159228.tif 000004
【００１９】
本考案によれば、酸化亜鉛ナノ粒子がグルコン酸と反応し、グルコン酸亜鉛となり、これが上記等電点の調整をうまく行ない、菌の細胞を破壊させ、これを不活性化させたものと考えられる。
【００２０】
上記容器内に、熱を蓄える蓄熱材をさらに設けるのが好ましい。
【００２１】
上記不織布は、３０ｇ/ｍ2〜５０ｇ/ｍ2のＰＥＴ（ポリエチレンテレフタレート）スパンボンド布を含むのが好ましい。
【００２２】
また、上記不織布は、３０ｇ/ｍ2〜５０ｇ/ｍ2の、レーヨン７０％とＰＥＴ３０％の混抄不織布であってもよい。
【００２３】
上記有機酸金属はクエン酸白金であってもよい。
【００２４】
上記容器内は、摂氏４０度前後（３７℃〜４３℃）に保温されるのが好ましい。
【００２５】
上記容器内に、上記ウエットタオルとともに、有機酸亜鉛を５，０００ｐｐｍ〜１０，０００ｐｐｍの濃度で含む薬剤が充填されたスプレーボトルをさらに設けるのが好ましい。
【考案の効果】
【００２６】
本考案に係る消毒殺菌用加温ウエットタオル供給装置によれば、温かくて、皮膚に優しい、さらに消毒殺菌可能なウエットタオルを利用者に供給することができる。
【図面の簡単な説明】
【００２７】
【図１】本考案に係る消毒殺菌用加温ウエットタオル供給装置の概念図である。
【図２】本考案に用いるウエットタオルに含浸される薬剤中の、グルコン酸亜鉛の濃度と菌感染価との関係をプロットした図である。
【考案を実施するための形態】
【００２８】
以下、この考案の実施の形態について説明する。
【００２９】
図１は、本考案の実施の形態に係る消毒殺菌用加温ウエットタオル供給装置の概念図である。消毒殺菌用加温ウエットタオル供給装置１は、容器２を備える。容器２としては、例えばポリバケツなどを用いることが出来る、容器２内にゲル状の蓄熱材１１が設けられ、この蓄熱材１１の上に、有機酸亜鉛を５，０００ｐｐｍ〜１０，０００ｐｐｍの濃度で含む薬剤（水溶液）を含浸させてなる、複数のウエットタオル３がラミネート袋１０に入れられて置かれている。容器１内に、ウエットタオル３を温める加熱手段である発熱体４が、仕切り板６を介してウエットタオル３、蓄熱材１１の下に設けられている。発熱体４は、ＡＣ（交流）又はＤＣ（直流）で加熱するヒータ、又は消石灰や鉄粉（腐食発熱）で形成される。発熱体４で温度調節して、容器２内を、摂氏４０度前後に保つ。
【００３０】
ウエットタオル３とともに、有機酸亜鉛を５，０００ｐｐｍ〜１０，０００ｐｐｍの濃度で含む薬剤が充填されたスプレーボトル５を、仕切り板７の上に配置している。ウエットタオル３と共にスプレーボトル５もまた、摂氏４０度前後に保温される。スプレーボトル５は、おむつ交換時に消臭剤として利用される。容器２は、蓋８で密閉される。ウエットタオル３、スプレーボトル５は、蓋８を開けることにより、取り出し自由にされている。スプレーボトル５から薬剤を噴霧し、おむつ交換の際に糞尿で汚れた股間を殺菌し、かつ消臭する。消毒殺菌用加温ウエットタオル供給装置１は、手提げ部分９を持って、持ち運び可能とされている。蓄熱材１１は、この持ち運び時にウエットタオル３が冷えるのを防ぐ。
【００３１】
有機酸亜鉛を５，０００ｐｐｍ〜１０，０００ｐｐｍの濃度で含む薬剤は、化粧品と同じ素材であり、肌荒れしないどころか、肌を守る力がある。この薬剤は、強力な殺菌力と持続力があり、アルコールの殺菌持続力はこれに及ばない。水溶液だから温度を上げてもアルコールのように激しく気化しない。
【００３２】
本考案に用いる、有機酸亜鉛を５，０００ｐｐｍ〜１０，０００ｐｐｍの濃度で含む薬剤は、グルコン酸を４０〜５０重量％含むグルコン酸水溶液に、直径５０ｎｍ〜７０ｎｍの酸化亜鉛ナノ粒子を、得られるグルコン酸亜鉛の濃度が５，０００ｐｐｍ〜１０，０００ｐｐｍになるように、室温で、温度を上昇させないように、かき混ぜて分散させることによって得た。グルコン酸水溶液に酸化亜鉛ナノ粒子を分散させていくと、発熱し、温度が上がり過ぎるとゲル化することが認められた。また、グルコン酸亜鉛の濃度が６０，０００ｐｐｍを超えると、真っ白にゲル化することが認められた。したがって、分散させるときの温度、グルコン酸亜鉛の濃度の調整は厳格にすることが留意すべき点である。
【００３３】
ここでは、菌として、鳥インフルエンザ菌を用いた場合について、さらにこの薬剤の効能を、詳細に説明する。
【００３４】
グルコン酸５０％水溶液に、直径５０ｎｍ〜７０ｎｍの酸化亜鉛ナノ粒子を室温で、温度を上げないように、かき混ぜて分散させ、グルコン酸亜鉛(Gluconic Zn)を３０，０００ｐｐｍ、１０，０００ｐｐｍ、７，５００ｐｐｍ、５，０００ｐｐｍ、３，７５０ｐｐｍ、２，０００ｐｐｍ含む薬剤の試験品を６種類作成した。それぞれの試料０．５ｍｌ(対照として滅菌蒸留水)と鳥インフルエンザ菌（A/whistling swan/Shimane/499/83(H5N3)107.5EID50/0.1ml）０．５ｍｌを加え、ボルテックスで混合し、室温（２０℃）で１０分間反応させた。試験品と菌混合液を抗生物質を含む滅菌ＰＢＳで１０倍段階希釈し、３個の１０日齢発育鶏卵の漿尿膜腔内に０．１ｍｌずつ接種する。発育鶏卵を３７℃、２日間培養した後、赤血球凝集試験により漿尿膜腔内での菌増殖の有無を確認し、菌感染価をReed and Munchの方法により算出した。結果を表１に示す。
【表１】
0003159228.tif 000005
図２は、試験品中の Gluconic Zn の濃度と菌感染価との関係をプロットしたものである。図２から明らかなように、グルコン酸濃度７，５０００ｐｐｍで、菌感染価２．２５と極小値を示した。このような極小値を示す理由は定かでない。
【００３５】
なお、上記実施例では、有機酸としてグルコン酸を例示したが、この考案はこれに限られるものでなく、酸化亜鉛と相乗して、タンパク質の膜を破壊するものはいずれも使用できる。
【００３６】
また、上記実施例では、有機酸亜鉛を用いた場合を例示したが、有機酸白金を用いても良い。この場合、白金ナノコロイドクエン酸蒸留水溶液が好ましく用いられる。１リットルあたり０．０２２５ｇの白金を含む溶液を不織布に染み込ませ、粒径４ナノメートルの白金ナノ粒子を均一に分散させてウエットタオルを形成する。白金の触媒作用で菌のＲＮＡ（リボ核酸）のリン酸結合を切断して、菌を不活性化する。
【００３７】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３８】
本考案に係る消毒殺菌用加温ウエットタオル供給装置は、脱脂力を抑えた皮膚に優しい加温された消毒殺菌用のウエットタオルを供給し、おむつ交換時の苦痛を軽減する。
【符号の説明】
【００３９】
１     消毒殺菌用加温ウエットタオル供給装置
２     容器
３     ウエットタオル
４     発熱体
５     スプレーボトル
６、７ 仕切り板
８     蓋
９     手提げ部分
１０   ラミネート袋
１１   蓄熱材
【図１】
0003159228.tif 000006
【図２】
0003159228.tif 000007